Podtech/llm-jp-corpus-v4-ja_patent huggingface dataset:
(57)【要約】      （修正有）【課題】建設現場、工場などにおいて、コードリールのコードを片付けるとき、片手では、からまって巻き取りに時間がかかっていたのを、手早くスムーズに巻き取れる誘導金具付コードリールを提供することである。【解決手段】コードリールの脚部２に誘導金具４を取り付ける事によって片手で巻くだけで、からまずに巻き取れる事を特徴とする誘導金具付コードリールである。【選択図】図１
0003137664.tif 000002
【実用新案登録請求の範囲】
【請求項１】
コードリールの脚部に引き込み誘導金具を取り付ける事によって片手で巻くだけで、からまずに、巻き取れることを特徴とする誘導金具付コードリール。
【考案の詳細な説明】
【技術分野】
【０００１】  本考案は、コードの巻き取りを片手でスムーズに、からまずに巻けるようにするため、リール本体に、誘導金具を取り付けた、誘導金具コードリールに関するものである。
【技術背景】
【０００２】  従来は、コードに片手を添えて平均に誘導し、巻き取るやり方であった。
【考案の開示】
【考案が解決しようとする課題】
【０００３】  そのために次のような問題点があった。
（イ）工事現場での、薄暗い中で両手を使わないとできなかった。
（ロ）添えた片手でコードを誘導しないと、からまったりコードドラム本体に平均に巻き付けられなかった。
本考案は、これらの問題点を解決するためになされたものである。
【問題を解決するための手段】
【０００４】  電動リールの脚部に引き込み誘導口を取り付ける事によって片手で巻くだけで、からまずに巻き取れることを特徴とする誘導金具付きコードリール。
【考案の効果】
【０００５】  工事現場の薄暗い中でも、片手で簡単にスムーズに巻き取ることができるものである。
【考案を実施するための最良の形態】
【０００６】  以下、本考案の実施の形態について説明する。
（イ）コードリールの脚部（２）の片側にコード誘導金具（４）を取り付ける。
（ロ）誘導口金具（４）はコード（６）の差込がぬけず左右に動く程度の隙間をとる。
【図面の簡単な説明】
【０００７】
【図１】  本考案の全体斜視図
【図２】  本考案の誘導金具の拡大図
【符号の説明】
【０００８】  １  コードドラム本体
２  脚部
３  ハンドル
４  誘導金具
５  プラグ
６  コード
【図１】
0003137664.tif 000003
【図２】
0003137664.tif 000004
(57)【要約】      （修正有）【課題】切断能力を付加した刃型ツルハシを提供する。【解決手段】ツルハシの嘴部本体の湾曲している腹側全体を、刃状型にすれば、引っかかってくる障害物を切断しながら掘り進むことができる。これにより、作業効率が上がり労力の消耗を防ぐことができる。【選択図】図２
0003137665.tif 000002
【実用新案登録請求の範囲】
【請求項１】
ツルハシの嘴部の断面形状で、湾曲している腹側全体を鋭角にして刃状にし、突き刺して掘削するだけでなく、障害物の切断作業を補助するヤイバ付のツルハシ。
【考案の詳細な説明】
【技術分野】
【０００１】  本考案は、建設工事に使用されるツルハシに切断能力を付加したツルハシの形状に関するものである。
【背景技術】
【０００２】  工事現場等でツルハシは、ただ突き刺して掘り起こすだけである。
【考案の開示】
【考案が解決しようとする課題】
【０００３】  土木、造園工事における人力掘削作業に於いて、ツルハシは必需品であるが、除根作業が伴うときは、その都度バチズルのほうに持ち替えたり、鉈や鋸を手にして、根の切断に取り掛からねばならず、手間取ることがある。
【課題を解決するための手段】
【０００４】  ツルハシの尖り部で掘り起こしていくと同時に、出土してきた障害物である、木や植物の根を、ツルハシの腹の側を鋭角の刃状にしておけば、引っかかったままの状態の態勢から切断へと進行できる。
【考案の効果】
【０００５】  掘削時に、ツルハシが根などに絡むと動きが取れず、疲れが増幅してしまい作業効率が落ちるが、刃形で切り取ってゆければ労力の消耗を防ぐことができる。
【考案を実地するための最良の形態】
【０００６】  ツルハシの断面形状を従来の４角形から将棋の駒の如く５角形にして、嘴状の湾曲している内側全体を鋭利にとった形態とする。
【図面の簡単な説明】
【０００７】  一般にツルハシには、いわゆる鶴の嘴の形をしたものと、撥の形をしたものとがあるが、撥ではなく、嘴に相当する方を改良している。図は俗にバチヅルと呼ばれているものを例にした刃型ツルハシを取り上げている。
【図１】刃型ツルハシの全景を示した側面からの斜視図である。
【図２】図１のＡ−Ａ部を切断したときの刃型ツルハシの嘴を示した断面図である。
【符号の説明】
【０００８】  １  刃型部分
【図１】
0003137665.tif 000003
【図２】
0003137665.tif 000004
(57)【要約】      （修正有）【課題】災害時にすぐ、安価にトイレや風呂として使用できる。【解決手段】１、金属または木製または合成樹脂等でつくられており、三層構造となっており、一番上の部分は通常は座る部分で開閉が可能な蓋状のものとなっており、その下の部分は小及び大便等の用を足すための座る部分となっており、その下の部分は小及び大便を受ける容器となっており、また、小及び大便を受ける容器の中には小及び大便を吸収して凝固させる凝固剤を施してあり、災害時に使用した後も清潔さを保つことができるトイレ部分と２、合成樹脂等でつくられており、座りながらシャワーを浴びることができるように椅子部分を備えており、バッテリーで加温する部分とシャワーと温度調節タッチパネルと給排水口を備えている簡易シャワールームとからなる。【選択図】図１
0003137662.tif 000002
【実用新案登録請求の範囲】
【請求項１】
１、金属または木製または合成樹脂等でつくられており、三層構造となっており、一番上の部分は通常は座る部分で開閉が可能な蓋状のものとなっており、その下の部分は小及び大便等の用を足すための座る部分となっており、その下の部分は小及び大便を受ける容器となっており、また、小及び大便を受ける容器の中には小及び大便を吸収して凝固させる凝固剤を施してあり、災害時に使用した後も清潔さを保つことができるトイレ部分と
２、合成樹脂等でつくられており、座りながらシャワーを浴びることができるように椅子部分を備えており、バッテリーで加温する部分とシャワーと温度調節タッチパネルと給排水口を備えている簡易シャワールーム
以上の各構成からなる乗用車用トイレ・バスユニット
【考案の詳細な説明】
【考案の詳細な説明】
【技術分野】
【０００１】  本考案は，災害時においてトイレや風呂が不足することに対処するために、通常使用する乗用車の内部に簡単に設置しておき、いつでも簡易トイレや簡易シャワールームとして使用することができる乗用車用トイレ・バスユニットである。
また、このトイレは三層構造となっており、一番上の部分は通常は座る部分で開閉が可能な蓋状のものとなっており、その下の部分は小及び大便等の用を足すための座る部分となっており、その下の部分は小及び大便を受ける容器となっている。また、小及び大便を受ける容器の中には小及び大便を吸収して凝固させる凝固剤を施してあり、災害時に使用した後も清潔さを保つことができる。
また、簡易シャワールームは座りながらシャワーを浴びることができるように椅子部分を備えており、バッテリーで加温する部分とシャワーと温度調節タッチパネルと給排水口を備えている。
【背景技術】
【０００２】  １、従来のバストイレ付き自動車は大半がキャンピングカーのようなものであり、大掛かりなもので大変高価でもある。
２、従来のものは新車の段階からバストイ付きとなっており、通常使用する乗用車用になっていない。
【考案が解決しようとする課題】
【０００３】  以上のように，従来の技術ではいろいろな問題を抱えている。そこで本考案において，解決しようとする課題は次のようなものである。
１、災害時にトイレや風呂がなかなか使えない。
２、新車の時から大掛かりなキャンピングカーのような自動車は大きくて広いガレージが必要でまた高価で日常の乗用車として適さない。
【課題を解決するための手段】
【０００４】  本考案は，この課題を解決するという目標を達成するために次のような手段を講じる。
１、日常使用している乗用車を利用する。
２、トイレとバスを一体化したユニットとする。
３、トイレは全部で三層構造となっており、通常は一番上の部分にシートとして座り、トイレとして使用するときに二番目の便座部分を使用し、三番目は小および大便を受ける部分となっている。
４、シャワールームは高くならないように、座って使用するために椅子を備え、ルームの下部にバッテリーによる加温装置と給排水口を備える。また、壁の部分に温度指定用のタッチパネルも備える。
【考案を実施するための最良の形態】
【０００５】  本考案のもっとも好ましい実施の形態を添付図の図１に基づいて説明する。
図１において，１はトイレの椅子全体である。２はトイレの椅子の一番上で通常シートとして座る部分である。３はトイレの二番目の部分であり、トイレとして使用する便座部分である。４は小・大便を受ける部分である。５はシャワールームの椅子である。６はシャワーである。７は蛇口である。８は温度指定用タッチパネルである。９は床部分の排水口である。１０はバッテリーによる加温装置である。１１は給水口である。１２は排水口である。
【考案の効果】
【０００６】  本考案による乗用車用トイレ・バスユニットを通常使っている乗用車に設置することにより，次のような効果がある。
１、通常私用している乗用車を災害時等にすぐにトイレや風呂として使用することができる。
２、通常使用している乗用車にこの乗用車用トイレ・バスユニットを設置することができるので新車のキャンピングカーをおくための大きなガレージを必要としなく、また内部に簡易トイレや簡易シャワールームを備えるので全体の費用も安くてすむ。
【図面の簡単な説明】
【０００７】
【図１】  本考案による乗用車用トイレ・バスユニットを斜め上から見たときの完成図である。
【符号の説明】
【０００８】  １……トイレの椅子全体、２……トイレの椅子の一番上で通常シートとして座る部分、３……トイレの二番目の部分であり、トイレとして使用する便座部分、４……小・大便を受ける部分、５……シャワールームの椅子、６……シャワー、７……蛇口、８……温度指定用タッチパネル、９……床部分の排水口、１０……バッテリーによる加温装置、１１……給水口、１２……排水口
【図１】
0003137662.tif 000003
(57)【要約】      （修正有）【課題】スプーン自体に爪楊枝的機能を持たせ、内容物飛散を防止する。【解決手段】密封状態の商品の開封時に於ける飛散を防ぐ為に、突起２で商品に前もって小さな穴をあけて密封状態を解消した後に開封し、開封時に発生する内容部の飛散を防止する。【選択図】図１
0003137658.tif 000002
【実用新案登録請求の範囲】
【請求項１】
スプーン本体に突起状部分を設け、商品の密封状態を突起状部分で解消した後に商品を開封し使用する突起状部分つきのスプーン。
【考案の詳細な説明】
【技術分野】
【０００１】本考案はスプーンの柄に突起状の部分を有するスプーンに関するものである。
【背景技術】
【０００２】ヨーグルト等の商品に於て開封時に密封されていた内容物が飛散し、手・衣服・顔等に付着するケースが多発している。
【考案の開示】
【考案が解決しようとす課題】
【０００３】密封状態解消の為に爪楊枝等を持ち歩くのは大変であり、不幸にも内容物が手・服・顔等に付着した場合にはそれを払拭するのも大変であるので、スプーンに密封状態を解消可能な突起状部分をもたせることにより前述の欠点を解決しようとするものである。
【課題を解決するための手段】
【０００４】本考案はスプーン自体に密封状態を解消する機態をもつ突起状部分を設けることにより問題点を解決している。
【考案の効果】
【０００５】上述の様に本考案の商品開封時内容物飛散防止スプーンはスプーン本体にスプーンの機能と爪楊枝的機能を有し非常に有益である。
【考案の実施するための最良の形態】
【０００６】スプーンの柄の端の部分に突起状の部分をつくる先端部分は人肌が傷つかない程度の丸みをもたせる。
【実施例】
【０００７】以下、添付図面に従って一実施例を説明する。
１、及び２の部分はプラスチック等適宣素材にて一体化形成されたもの。
２の部分で商品の密封状態を解消した後に開封し、１のスプーン部分で飲食する。
【図面の簡単な説明】
【０００８】
【図１】本考案の商品開封時内容物飛散防止スプーンの一実施例を示す正面図である。
【符号の説明】
【０００９】１  スプーン本体
２  密封状能解消のための突起状部分
【図１】
0003137658.tif 000003
(57)【要約】      （修正有）【課題】家庭で立設している額縁及び写真盾の内部正面に写真を映す液晶パネルを設け、デジタルカメラ写真及び携帯電話で撮った記憶された写真を送信して、写真を自由に見ることができるモバイルパネル用額縁及び写真盾を提供する。【解決手段】額縁及び写真盾１は、各種形状に構成され、その外周には、縁枠２を形成し、縁枠には、内部に写真を映す液晶パネル３とワイヤレス機能を装着する。また、縁枠の外周の所定位置にＩＣメモリーチップ４と、カード差込機能及び携帯電話機能とを装設する。更に、縁枠には、家庭用電源とパソコン電源の装置を装着した事を特徴としている。【選択図】図１
0003137660.tif 000002
【実用新案登録請求の範囲】
【請求項１】
額縁及び写真盾（１）は、縦方向及び横方向に方形状に形成され、該額縁及び写真盾（１）には、外周に縁枠（２）を有し、該縁枠（２）には、内部に写真を移動して映す液晶パネル（３）とワイヤレス機能を装着し、且つ該縁枠（２）には、外周の所定位置にＩＣメモリーチップ（４）とカード差込機能及び携帯電話機能を装設すると共に、家庭用電源及びパソコン電源を装着した事を特徴とするモバイルパネル用額縁及び写真盾。
【考案の詳細な説明】
【技術分野】
【０００１】  本考案は、家庭用で使用している額縁及び写真盾にデジタルカメラ写真又は携帯電話で撮って記憶された写真をモバイル用額縁及び写真盾に送信して写真を自由に変更して見られるようにしたモバイルパネル用額縁及び写真盾に関するものである。
【背景技術】
【０００２】  一般に使用されている額縁及び写真盾は、人物、風景等を各々一枚づつ額縁及び写真盾内に収め、必要に応じて取り出して写真を差し換えて飾る事が、普通に実施されている現状である。
【考案の開示】
【考案が解決しようとする課題】
【０００３】  従来の家庭用で使用されている額縁及び写真等においては、写真、ポスター等を常時入れ替える方法が一般的に実施されている現状である。この場合、入れ替え作業が大変に面倒で手間が掛かるものである。また、額縁及び写真盾には、一枚の写真のみしか飾ることが出来ないために多数の額縁及び写真盾が必要となる等の不便さがある。
本考案は、従来のこれ等の額縁及び写真盾を改良したものであって、その主たる目的とする所は、デジタルカメラ及び携帯電話で記憶させた写真をＩＣメモリーチップに送信して写真をボタン操作によって順次変更して、液晶パネルで見られるようにしたモバイルパネル用額縁及び写真盾を提供することを目的としている。
【課題を解決するための手段】
【０００４】  上記目的を達成するために、本考案においては、額縁及び写真盾の中央内部に写真を移動して写す液晶パネルとワイヤレス機能とを内装する。該額縁及び写真盾の外周の縁枠には、所定位置にＩＣメモリーチップ（記憶装置）とカード差込機能及び携帯電話機能とを装設すると共に、家庭用電源及びパソコン電源を装設する事である。
【考案の効果】
【０００５】  本考案のモバイルパネル用額縁及び写真盾によれば、従来の高価な器具類を使用することなく、デジタルカメラ及び携帯電話によって写真を撮って記憶されたＩＣメモリーチップを装着することによって、常時簡単に再度所望の写真を液晶パネルに再現して見られる便利な効果と、額縁及び写真盾には、外周の縁枠を利用して容易にＩＣメモリーチップ及びカード差込機能及び携帯電話機能が装着できると共に、内部の写真を写す液晶パネルは、大小各々の大きさのパネルを自由に選定できる便利な効果もある。また、デジタルカメラ及び携帯電話の両者で写した記憶された大量の写真を適宜変更して見られる効果もある。更に、携帯電話に記憶させた写真を、液晶パネルのＩＣメモリーチップに無線にて送信し、携帯電話からの指示によって、写真を自由に変更できる効果もある。
【考案を実施するための最良の形態】
【０００６】  本考案の最良の用法を説明すると、中央部分に液晶パネルを有する額縁及び写真盾には、予めワイヤレス機能及びＩＣメモリーチップを装着したものに、デジタルカメラ及び携帯電話で撮った写真を記憶させたものを、液晶パネルのモバイル用額縁及び写真盾に送信して液晶パネルの表面に順次写真を変更して写し出すようにしたものである。
【実施例】
【０００７】  次に、本考案の実施例を図面について説明すると、図１は、額縁及び写真盾（１）の正面図を示すもので、額縁及び写真盾（１）は、縦方向及び横方向の方形状、又は円形等の各種の形状より構成されている。該額縁及び写真盾（１）には、外周に縁枠となる縁枠（２）を形成する。該縁枠（２）には、内部に写真の映像を移動して映す液晶パネル（３）と、ワイヤレス機能（短距離無線機能）を装着してある。また、該縁枠（２）には、外周の所定位置にＩＣメモリーチップ（４）を設けると共に、カード差込機能及び携帯電話機能を装設してある。更に、該縁枠（２）には、家庭用電源及びパソコン電源装置を装着したものである。【０００８】  次に、本考案における額縁及び写真盾（１）に送信する方法の実施例としては、先ず、デジタルカメラの場合を説明すると、記憶した写真を、コードを接続して液晶パネル（３）に写真を映す。デジタルカメラには、相当数の写真が記憶されているので、必要な写真を再現したり、その日、その時の気分等に応じて自由に写真をボタンの押圧によって変更することが出来るものである。
次に、携帯電話の場合を説明すると、携帯電話に記憶された写真を、液晶パネルのＩＣメモリーチップに無線にて送信して、その写真を携帯電話から指示して、必要に応じた写真を自由自在に変更して見る事が出来るようにしたものである。【０００９】  なお、操作について述べると、デジタルカメラの画像は、デジタルカメラの操作をするので、操作の時は、デジタルカメラが必要であるが、携帯電話の場合は、携帯電話を常時所持しているので、操作の面倒が無く、デジタルカメラよりも携帯電話の記憶容量及び画像操作機能が格段に優れているものである。
【図面の簡単な説明】
【００１０】
【図１】  本考案のモバイルパネル用額縁及び写真盾を示す正面図である。
【符号の説明】
【００１１】１          額縁及び写真盾
２          縁枠
３          液晶パネル
４          ＩＣメモリーチップ
【図１】
0003137660.tif 000003
(57)【要約】【課題】従来の乳幼児の子守帯の問題である肩と腰への負担を軽減する構造にし、利便性・機能性を高めるため、頭あて・クッションの取り外しを可能とする。【解決手段】肩・腰部に低反発ウレタンクッションとその取り出し口を備え、乳幼児を包み込む面となる、背あてと帯２本の組み合わせ角度を鋭角にし、腰部と帯部のつなぎ目は半回転させ装着する事とした。また、背あてから取り外し可能となるように頭あてをつけた。【選択図】      図１
0003137652.tif 000002
【実用新案登録請求の範囲】
【請求項１】
乳幼児を快適に包み込むことができるように、合理的に計算された背あてに対し帯２本の鋭角な組み合わせ角度をつけた子守帯
【請求項２】
子守帯を使用する者の疲れを軽減し、且つ、目的・用途に応じて取り外し可能にした、肩と腰部分に低反発ウレタンのクッションを備えた子守帯
【請求項３】
リバーシブルで取り外し可能である頭あてを備えた子守帯
【請求項４】
腰部に無理なく添い、負担を減らす、つなぎ目となる帯部分と腰部の帯部分を半回転させた構造を備えた子守帯
【考案の詳細な説明】
【技術分野】
【０００１】
本考案は、乳幼児を抱く際や背負う際に、乳幼児を保持するための用具に関するものである。
【背景技術】
【０００２】
従来は、帯２本を組み合わせた形の子守帯では、帯の組み合わせ角度は直角のものがほとんどであった。また、肩等に綿などのクッションを挟んでいるが、取り外しができないものがほとんどであった。また、頭あてがついても、両面リバーシブルで使うことのできる子守帯というのは目にすることがなかった。
【考案の開示】
【考案が解決しようとする課題】
【０００３】
背あてに対する帯２本の角度が直角であれば、構造的に、体に負担がかかってしまうという問題と、頭あてつきの一つの子守帯で、用途に応じて両面二種の布柄を選択し、またクッションを取り外して使用する事ができないという問題を有していた。
【０００４】
抱く・背負われる側である乳幼児とより密着し、また、抱く・背負う側である大人の肩や腰にかかる負担を軽減する構造にする必要があった。また、用途によって使い分けるために、両面を最大限有効に使うことができるリバーシブル構造にする必要があった。
【課題を解決するための手段】
【０００５】
子守帯の、乳幼児が包まれる部分である背面のサイズを測り、背あてに対する帯２本の角度を鋭角にし、装着時に腰部と帯部のつなぎ目を半回転させる構造にした。
また、肩・腰部には低反発ウレタンのクッションの取り出し口を備え、頭あても自由に取り外しができるようにした事を特徴とする。
【考案の効果】
【０００６】
より密着できる構造にした事によって、従来の子守帯の問題点でもあった、肩と腰への負担が軽減され、季節・用途に応じて、クッション・頭あてを取り外すことができるようになったため、極めて利便性が高く機能的な子守帯として使用することが可能となった。
【実施例】
【０００７】
子守帯の背あてと帯の連結部分の上部両端を乳幼児の脇に合わせ、その脇から通った２本の帯を、抱く側である人間の両肩へと通し、腰部で半回転させた帯と結束させる。
頭あてとクッションは取り外し可能。
【図面の簡単な説明】
【０００８】
【図１】本考案の子守帯の斜視図である。
【図２】頭あて・クッションの取り外し例の図である。
【図３】背面から見た装着例の図である。
【符号の説明】
【０００９】
１    頭あて
２    背あて
３    帯１
４    帯２
５    背あてと帯２本の組み合わせ角度
６    腰部の帯を半回転させた部分
７    肩部、クッション取り出し口１
８    肩部、クッション取り出し口２
９    肩部の取り外したクッション１
１０  肩部の取り外したクッション2
１１  腰部、クッション取り出し口１
１２  腰部、クッション取り出し口２
１３  腰部の取り外したクッション１
１４  腰部の取り外したクッション２
【図１】
0003137652.tif 000003
【図２】
0003137652.tif 000004
【図３】
0003137652.tif 000005
【手続補正書】
【提出日】平成19年9月19日(2007.9.19)
【手続補正１】
【補正対象書類名】実用新案登録請求の範囲
【補正対象項目名】全文
【補正方法】変更
【補正の内容】
【実用新案登録請求の範囲】
【請求項１】
乳幼児を快適に包み込むことができるように、帯２本から背あてに対し合理的に計算された鋭角な組み合わせ角度をつけた子守帯。
【請求項２】
目的・用途に応じて取り外しを可能にした、肩と腰部のクッションと頭あてを備えた事を特徴とする請求項1記載の子守帯。
(57)【要約】      （修正有）【課題】２重構造の内側の面に情報を掲載できる等機能面を増加させることで付加価値を高める六面体を得る。【解決手段】１２面の四角形の組合せと切り込み位置を工夫し六面体の各面を２重構造とするとともに、扉１となる面にストッパー２をつけることで六面体の箱の全ての面に開閉可能にした。【選択図】図１
0003137656.tif 000002
【実用新案登録請求の範囲】
【請求項１】
縦方向に正方形を３個配置した第１正方形列を形成し、その左側に１個が下側にはみ出るように縦方向に正方形を４個配置した第２正方形列を形成し、その左側に上下方向に１段ずらして正方形を縦方向に４個配置した第３正方形列を形成し、前記第３正方形列の２段目の正方形の左側に１個の正方形を配置することで六面体の壁面となる１２個の正方形を配列させる一方、
前記第２正方形列の１段目の正方形と２段目の正方形との間、前記第３正方形列の１段目の正方形と２段目の正方形との間、前記第１正方形列の３段目の正方形と第２正方形列の３段目の正方形との間、前記第２正方形列の４段目の正方形と第３正方形列の３段目の正方形との間にそれぞれ切り込み線を形成するとともに、他の正方形同士の間に折り線を形成し、
前記第１正方形列の１段目の正方形と２段目の正方形との間、前記第１正方形列の２段目の正方形と第２正方形列の２段目の正方形との間、前記第２正方形列の２段目の正方形と３段目の正方形との間、前記第２正方形列の３段目の正方形と第３正方形列の２段目の正方形との間、前記第３正方形列の２段目の正方形と３段目の正方形との間、前記第３正方形列の３段目の正方形とその左に設けた舌部との間に、それぞれ差し込み口を形成し、
第１正方形列、第２正方形列、第３正方形列の各下端に位置する３個の正方形の下側に前記差し込み口に差し込み可能なストッパーをそれぞれ突出形成して各下端正方形を扉部とするとともに、１段目、２段目、３段目の各左端に位置する３個の正方形の左端に前記差し込み口に差し込み可能なストッパーをそれぞれ突出形成して各左端正方形を扉部とした展開図を形成し、
前記展開図の表面が全て外側面になるよう前記折り線を折曲して六面体を組み立てることで、六面体の全ての面に２重に配置されて各差し込み口に各ストッパーを差し込むことで開閉可能な前記扉部が位置するように構成して成る
ことを特徴とする扉付き２重構造の六面体。
【考案の詳細な説明】
【技術分野】
【０００１】  本考案は、箱の付加価値を高める為に１枚の紙を折って組み立てる六面体の全ての面を２重構造とし、かつ各面に扉を付けたものである。
【背景技術】
【０００２】  従来は六面の全ての面を２重構造とするものはあったが全ての面に扉も付いた構造の物はなかった。
【特許文献１】  特開平０４−１５４５３９号公報
【考案の開示】
【考案が解決しようとする課題】
【０００３】  １枚の紙を折り曲げて組み立てる２重構造の六面体に扉を付け、箱の付加価値を高める。
【課題を解決するための手段】
【０００４】  本考案の扉付き２重構造の六面体は、縦方向に正方形を３個配置した第１正方形列を形成し、その左側に１個が下側にはみ出るように縦方向に正方形を４個配置した第２正方形列を形成し、その左側に上下方向に１段ずらして正方形を縦方向に４個配置した第３正方形列を形成し、前記第３正方形列の２段目の正方形の左側に１個の正方形を配置することで六面体の壁面となる１２個の正方形を配列させる一方、
前記第２正方形列の１段目の正方形と２段目の正方形との間、前記第３正方形列の１段目の正方形と２段目の正方形との間、前記第１正方形列の３段目の正方形と第２正方形列の３段目の正方形との間、前記第２正方形列の４段目の正方形と第３正方形列の３段目の正方形との間にそれぞれ切り込み線５を形成するとともに、他の正方形同士の間に折り線６を形成し、
前記第１正方形列の１段目の正方形と２段目の正方形との間、前記第１正方形列の２段目の正方形と第２正方形列の２段目の正方形との間、前記第２正方形列の２段目の正方形と３段目の正方形との間、前記第２正方形列の３段目の正方形と第３正方形列の２段目の正方形との間、前記第３正方形列の２段目の正方形と３段目の正方形との間、前記第３正方形列の３段目の正方形とその左に設けた舌部との間に、それぞれ差し込み口４を形成し、
第１正方形列、第２正方形列、第３正方形列の各下端に位置する３個の正方形の下側に前記差し込み口に差し込み可能なストッパー２をそれぞれ突出形成して各下端正方形を扉１とするとともに、１段目、２段目、３段目の各左端に位置する３個の正方形の左端に前記差し込み口に差し込み可能なストッパーをそれぞれ突出形成して各左端正方形を扉１とした展開図を形成する。
そして、前記展開図の表面が全て外側面になるよう前記折り線６を折曲して六面体を組み立てることで、六面体の全ての面に２重に配置されて各差し込み口４に各ストッパー２を差し込むことで開閉可能な前記扉１が位置するように構成して成ることを特徴としている。
【考案の効果】
【０００５】  各面に扉１をつけ、ストッパー２と差し込み口４をつけることによって各面を開閉でき、開いた２重構造の内側の面に情報を掲載できる等機能面を増加させることができる。
【考案を実施するための最良の形態】
【０００６】  本考案の実施の形態の一例としての扉付き２重構造の六面体について説明する。
１２面の四角形の組合せと切り込み位置を工夫し六面体の各面を２重構造とする。
また、扉１となる面にストッパー２をつけることで六面体の箱の全ての面を開閉できるようにした。
すなわち、
（イ）  １枚の紙を図１のように配置しストッパー２、取っ手３、差し込み口４をそれぞれ所定の位置に作る。
（ロ）  切り込み線５と折り線６をつける。
【図面の簡単な説明】
【０００７】
【図１】本考案の扉付き２重構造の六面体の展開図である。
【図２】本考案の扉付き２重構造の六面体の使用状態を示す斜視説明図である。
【符号の説明】
【０００８】  １  扉
２  ストッパー
３  取っ手
４  差し込み口
５  切り込み口
６  折れ線
【図１】
0003137656.tif 000003
【図２】
0003137656.tif 000004
(57)【要約】【課題】本考案はピアノアクションを簡易にしたものである。【解決手段】本考案は鍵盤１の上に、ハンマー突上棒５と、ダンパー突上棒６を共に設けたもので、鍵盤１を弾く事により、それが同時に作動し、ハンマヘッド７による発音とダンパーヘッド９のはずれが同時に行われる様にしたものです。【選択図】図１
0003137655.tif 000002
【実用新案登録請求の範囲】
【請求項１】
先端近くにハンマー柄突上棒とダンパー柄突上棒が設けられた鍵盤を押し下げる事により、ハンマーヘッドを持ったハンマー柄とダンパーヘッドを持ったダンパー柄を同時に動かして、ハンマーによる発音とダンパーの外れによる音の持続をさせた簡易ピアノアクション。
【考案の詳細な説明】
【技術分野】
【０００１】  本考案は、ダンパーを備えた、簡易ピアノアクションである。
【背景技術】
【０００２】  ピアノのアクションは、長い年月をかけて、研究改良を経て出来上がったものである。
【考案の開示】
【考案が解決しようとする課題】
【０００３】  本案は、在来のピアノのアクションを、簡単な構造にして、十分要を得たものにしたものである。
【課題を解決するための手段】
【０００４】  本考案はほぼ中心近くに支点を持った鍵盤の先端近くに、ハンマー押上棒とダンパー押上棒を取付け、鍵盤を押し下げると、ハンマーを動かし音源に当り発音させ、と同時にダンパーを動かし、ダンパーが外れ、音が持続させる様にしたものである。
【考案の効果】
【０００５】  上述の様に、本考案によるアクション構造は、簡単な構造なるが故、事故も少なく、調整も楽で、十分調整を施す事により、良い性能を得ると信じます。
【考案を実施するための最良の形態】
【０００６】  以下、本考案の実施の形態を図１に基いて説明する。
【実施例】
【０００７】  １は鍵盤。２は鍵盤台。３は上部は鍵盤１に、下部は鍵盤台２に挿入して固着する嵌合材。４は鍵盤台板で、鍵盤１を取付ける台板。４ａ・４ｂは、鍵盤台４に取付られた鍵盤受棒で、４ａは手前鍵盤受棒、４ｂは先方鍵盤受棒で、共に鍵盤１に当る部分は、フエルト等の軟く保持する品が貼られている。５はハンマー突上棒で、鍵盤１に図の如く取付られており、上部にフエルトが貼られている。６はダンパー突上棒で図の如く取付られており、上部にフエルトが貼られている。７はハンマーヘッドで、音源に当り発音させるものです。８はハンマー柄で図の様な形に作られ、片方はハンマーヘッド７が固着されており、他方はハンマー突上棒５で突上げる様になっている。８ａはハンマー柄８のセンターで、８ａを中心に円運動をする。９はダンパーヘッドで音を消音する役をなす。１０はダンパー柄で、図の様につくられ、片方はダンパーヘッド９が取付けられ、他部はダンパー突上棒６にて押上げられる様になっている。１０ａはダンパー柄のセンターで、１０ａを中心としてダンパー柄は円運動をする。１１は音源取付板。１１ａ、１１ｂは音源取付棒台で共に音源取付板１１に取付られ、音源と接触する処はフエルト等が貼られている。１２は音源。１３、１３ａは音源１２の２つの取付ネジで共に音源１２と接触する部分はゴム、フエルト等で軟く保持されている。
【産業上の利用可能性】
【０００８】  本考案はピアノ簡易アクションの製作に係るもので、図１の実線は鍵盤１を弾いてない時を表わし、仮線は鍵盤１を押し下げ、弾いている時を表わす。今弾いていない時は、音源１２にハンマーヘッド１２は当らず発音しない。又ダンパーヘッド９は音源１２を押えて発音しない。次に弾いた時、ハンマー突上棒５により、ハンマー柄８を押上げ、ハンマーヘッド７は音源１２に当り発音します。又同時にダンパー柄突上棒６により、ダンパー柄１０は、上げられ、ダンパーヘッド９は音源より離れて発音可能になっております。又更にネジ等により両突上棒の上げ下げの微細な調整を施す事で、能率的で、精密のアクション出来ます。
【図面の簡単な説明】
【０００９】
【図１】  本考案のピアノアクションの側面図である。
【符号の説明】
【００１０】１      鍵盤
２      鍵盤台
３      鍵盤１と鍵盤台２の嵌合材
４      鍵盤台板
４ａ    手前鍵盤受棒
４ｂ    先方鍵盤受棒
５      ハンマー突上棒
６      ダンパー突上棒
７      ハンマーヘッド
８      ハンマー柄
８ａ    ハンマー柄センター
９      ダンパーヘッド
１０    ダンパー柄
１０ａ  ダンパー柄センター
１１    音源取付板
１１ａ  音源取付棒台
１１ｂ  音源取付棒台
１２    音源
１３    音源取付ネジ
１３ａ  音源取付ネジ
【図１】
0003137655.tif 000003
(57)【要約】【課題】  仏壇内部に取付けられた扉開閉装置の駆動部に、クラッチなどの緩衝装置を設け、手でも安全に簡単に扉を開閉できるようにすること。また、開閉停止位置を決めるリミットスイッチがずれても、扉開閉装置や扉に過負荷が掛からないようにすること。【解決の手段】  扉開閉装置の動力部に磁力により吸着させた駆動側クラッチ板と被駆動側クラッチ板との間に生ずる摩擦力を発生させることで動力を伝えることができるクラッチを設け、当該摩擦力以上の駆動力、又は被駆動力に対して、クラッチを連続的に滑らせることにより、過剰な駆動力を伝達させない扉開閉装置を仏壇扉に取付ける。【選択図】図１
0003137657.tif 000002
【実用新案登録請求の範囲】
【請求項１】
仏壇の前面の開口を開閉自在に覆う扉と、この扉を開閉駆動する扉開閉装置とを有する仏壇において、当該扉開閉装置の動力部に磁力により吸着させた駆動側クラッチ板と被駆動側クラッチ板との間に生ずる摩擦力を発生させることで動力を伝えるクラッチを設け、当該クラッチの摩擦面が接触したまま連続的に滑るようにしたことで、一定の摩擦力を得ることにより、扉の開閉に必要な伝達駆動力を一定に保持できることを特徴とした扉開閉装置を取付けた仏壇。
【請求項２】
前記の扉開閉装置に一定時間で動力部に供給される電源を遮断させるタイマーを設け、前記のクラッチを一定時間連続的に滑らせた後、停止させることを特徴とする請求項１に記載の仏壇。
【考案の詳細な説明】
【技術分野】
【０００１】  扉開閉装置駆動部に、磁力により摩擦力を発生させクラッチを設け、クラッチが連続的に滑ることで必要以上の駆動力を駆動機構や扉に伝えないようにし、開閉装置や扉に過剰な負荷を掛けないようにした仏壇。
【背景技術】
【０００２】  従来、仏壇内部に取付けられた扉開閉装置にはクラッチが無く、停電時などに手で扉を開閉する場合は、扉と直結されていたモーターなどの駆動装置を直接動かして開閉させていた。
【考案の開示】
【考案が解決しようする課題】
【０００３】  仏壇内部に取付けられた扉開閉装置の駆動部に、クラッチなどの緩衝装置を設け、手でも安全に簡単に扉を開閉できるようにすること。また、開閉停止位置を決めるリミットスイッチがずれても、扉開閉装置や扉に過負荷が掛からないようにすること。
【課題を解決するための手段】
【０００４】    仏壇の前面の開口を開閉自在に覆う扉と、この扉を開閉駆動する扉開閉装置とを有する仏壇において、当該扉開閉装置の動力部に磁力により吸着させた駆動側クラッチ板と被駆動側クラッチ板との間に生ずる摩擦力を発生させることで動力を伝えることができるクラッチを設け、当該摩擦力以上の駆動力、又は被駆動力に対して、クラッチを連続的に滑らせることにより、過剰な駆動力を伝達させない扉開閉装置を仏壇扉に取付ける。また、一定時間で電源を遮断するタイマーを設け、動力部が長時間動作し続けることを防ぐ。
【考案の効果】
【０００５】  停電時では、減速歯車を内蔵したモーターなどの駆動装置を無理に逆駆動させることなく、手で安全で簡単に開閉でき、開閉停止位置を決めるリミットスイッチがずれても、扉開閉装置に過負荷が掛からないようにすることで、駆動装置や扉開閉装置、及び扉の破損を防ぐことができる。また、連続的に滑らせることができる効果を利用して、一定時間で電源を遮断するタイマーなどを設け、動力部が長時間動作し続けることによって、クラッチが消耗してしまうのを防ぐことができる。
【考案を実施するための最良の形態】
【０００６】  以下、本発明に係る仏壇の実施形態を図１から図２により説明する。本実施形態の仏壇は、図１から図２に示すように、上下に渡した天板７、および底板８の間に、２枚の側板１１と背板１２とを設けて箱状にし、前面部分には開閉自在に覆う扉９が設けられており、天板７の上面にこの扉９を開閉駆動する扉開閉装置１が案内溝６を通すように扉上部に取付けられた扉ピン５とアーム４を介して設けられている。扉開閉装置１の内部には磁力を発生するリング状や円柱状の磁石１６が駆動ベルト１８を駆動する歯車と一体になったクラッチハウジング１５に収まり、クラッチ板１７とが動力部２の出力軸１４に一体となって取付けられる。
【実施例】
【０００７】  以下、本考案の実施例を、図１から図２を参照して説明する。図１は仏壇天板７に扉開閉装置が取付けられ、左右の各扉９およびアーム４に連結された状態を示している。図２は扉開閉装置に取付けられた動力部２に、駆動ベルト１８を駆動するための歯車が設けられたクラッチハウジング１５とクラッチ板１７と、磁石１６が組み込まれたクラッチ本体３の様子を示している。
【図面の簡単な説明】
【０００８】
【図１】仏壇扉と扉開閉装置の斜視図。
【図２】扉開閉装置の駆動部とクラッチの斜視図。
【符号の説明】
【０００９】１    扉開閉装置本体          １３  リミットスイッチ
２    動力部                  １４  出力軸
３    クラッチ本体            １５  クラッチハウジング
４    アーム                  １６  磁石
５    扉ピン                  １７  クラッチ板
６    案内溝                  １８  駆動ベルト
７    天板
８    底板
９    扉
１０  蝶番
１１  側板
１２  背板
【図１】
0003137657.tif 000003
【図２】
0003137657.tif 000004
(57)【要約】【目的】ＰＶＣ生地にインクジェット印刷で１デザインずつ内容を変化できる携帯ストラップ、画面拭き携帯クリーナー【構成】ロゴデータをその都度入力し、ＰＶＣ生地に印刷しウェルダー溶着する事により１デザインずつ内容を変化しできる携帯ストラップ画面拭き携帯クリーナー【選択図】図１
0003137811.tif 000002
【実用新案登録請求の範囲】
【請求項１】
ロゴデータをその都度入力し、ＰＶＣ生地（１）にインクジェット印刷（２）しウェルダー溶着（３）する事により１デザインずつ（４）内容を変化しできる携帯ストラップ（５）、画面拭き携帯クリーナー（６）
【考案の詳細な説明】
【考案の詳細な説明】
【産業上の利用分野】
【０００１】この考案は、ＰＶＣに版が不要なインクジェット印刷をかける事により、１デザインづつ内容を変化できるものである。
【背景技術】
【０００２】従来、１デザインづつ内容を変化できる携帯ストラップ、画面拭き携帯クリーナーは直接ＰＶＣに印刷せず紙に印刷をかけ挟み込んでいた。
【考案が解決しようとする課題】
【０００３】（イ）版が必要になり１デザインづつ内容を変化できる事が出来なかった。
（ロ）紙に印刷する為紙とＰＶＣの間に空間ができ濡れたように見えてしまった。
（ハ）紙に対する印刷ではインクの強度が弱く色が無くなりやすい。
（ニ）端を溶着する加工の為全面の印刷は不可であった。
【問題を解決するための手段】
【０００４】インクジェット機にＰＶＣ生地（１）をセットし、ロゴデータをその都度入力しインクジェット印刷をかければ１デザインずつ（３）内容を変化できる。
【作用】
【０００５】インクジェット印刷（２）で表現できる範囲であれば、どのようなデザインでもデータ化すれば印刷が出来る。
【実施例】
【０００６】ＰＶＣ生地（１）をインクジェット機（２）にセットし、連結しているコンピューターにロゴデータを送り印刷を開始する。
印刷を乾かし、溶着しパーツをセットする事携帯ストラップ（５）画面拭き携帯クリーナー（６）が完成する。
【効果】
【０００７】本案は以上のような製作方法で、ＰＶＣを使う製品であれば他の仕様も作製できる。
【図面の簡単な説明】
【図１】本考案の表面完成図
【符号の説明】
１  透明ＰＶＣ        ２  インクジェット印刷      ３  白ＰＶＣ
４  Ｄかん＋松葉      ５  クリーナー生地          ６  かしめ
【図１】
0003137811.tif 000003
【手続補正書】
【提出日】平成19年9月6日(2007.9.6)
【手続補正１】
【補正対象書類名】実用新案登録請求の範囲
【補正対象項目名】全文
【補正方法】変更
【補正の内容】
【実用新案登録請求の範囲】
【請求項１】
ロゴデータをその都度入力し、白ＰＶＣ生地（３）にインクジェット印刷（２）し、透明ＰＶＣ（１）と合わせてウェルダー溶着する事により１デザインずつインクジェット印刷（２）で内容を変化しできる携帯ストラップ
【請求項２】
ロゴデータをその都度入力し、白ＰＶＣ生地（３）にインクジェット印刷（２）し、透明ＰＶＣ（１）と合わせてウェルダー溶着する事により１デザインずつインクジェット印刷（２）で内容を変化しできる画面拭き携帯クリーナー
【手続補正２】
【補正対象書類名】明細書
【補正対象項目名】０００４
【補正方法】変更
【補正の内容】
【０００４】インクジェット機に白ＰＶＣ生地（３）をセットし、ロコデータをその都度入力レインクジェット印刷（２）をかければ１デザインずつインクジェット印刷（２）により内容を変化できる。
(57)【要約】      （修正有）【解決手段】杖１に、後方確認ミラー２を装着することにある。後方確認ミラー２には球型支持腕３を設けてあり、ミラー装着金具５を用いて杖１と球型支持腕３を挟む状態に、着脱ネジ６および固定ネジで装着し、後方確認ミラー２と杖１とを一体化させ、夜間目立つように後方確認ミラー２の裏面周縁部に反射塗料を塗布してなる後方確認ミラー付杖。【効果】杖１を使用して歩行している者が、後方から自転車等の接近を後方確認ミラー２で、容易に確認できるので衝突等の危険回避ができる。また夜間に横断歩道を通行の際、後方確認ミラー２の裏面周縁部に塗布した反射塗料が、ライト光反射によって、自動車等運転者は歩行者の早期発見ができるので交通事故防止が図れる。【選択図】図４
0003137819.tif 000002
【実用新案登録請求の範囲】
【請求項１】
杖１に、後方確認ミラー２を装着することにある。後方確認ミラー２には球型支持腕３を設けてあり、ミラー装着金具５を用いて杖１と球型支持腕３を挟む状態に、着脱ネジ６および固定ネジ７で装着し、後方確認ミラー２  と杖１とを一体化させ、夜間目立つように後方確認ミラー２の裏面周縁部４に反射塗料を塗布してなる、後方確認ミラー付杖。
【考案の詳細な説明】
【技術分野】
【０００１】この考案は杖にミラーを取り付けたものである。
【背景技術】
【０００２】従来、ミラーの装着した杖は皆無であった。
【考案の開示】
【考案が解決しようとする課題】
【０００３】最近、歩道において自転車と歩行者の衝突事故が急増しておることから、危険回避に個々人が気配りしなければならない、特に腰・膝の障害のため杖を使用する者にとって、後方の状況把握が困難であった。後方確認ミラーを杖に装着することで、後方から追い越して行く者に支障にならないよう歩道端を通行し、さらには自転車の接近がミラーで確認したときは、一旦立ち止まり追い越させる等の方法で、自分から積極的に危険を回避しなければならない。
【課題を解決するための手段】
【０００４】  歩道の歩行中に、猛スピードの自転車に追い越されてヒヤッとした経験者は実に多い、そこで常時後方の状況を把握出来るように杖１に、後方確認ミラー２をミラー装着金具５で装着する、この後方確認ミラー２には球型支持腕３が設けてあり、杖１と球型支持腕３とミラー装着金具５を用い挟む状態で、着脱ネジ６および固定ネジ７で装着する、後方確認ミラー２の形状は円・多角形・ハート形等とし、裏面周縁部４に反射塗料を塗布することで、夜間横断歩道を横断中の歩行者を、自動車等運転者が早期発見できるようにした。
【考案の効果】
【０００５】  杖１を使用して歩行しておる者が、後方から自転車等の接近を後方確認ミラー２で、容易に確認できるので衝突等の危険回避ができる、また夜間に横断歩道を通行の際、後方確認ミラー２の裏面周縁部４に塗布した、反射塗料がライト光反射によって、自動車等運転者は歩行者の早期発見できるので交通事故防止が図れる。
【考案を実施するための最良の形態】
【０００６】  この考案の一実施形態を図１に示す。
この考案は、杖１に後方確認ミラー２を装着することにある。
後方確認ミラー２には、球型支持腕３を設けてあり、ミラー装着金具５を用いて杖１と球型支持腕３を挟む状態に、着脱ネジ６および固定ネジ７で装着し、後方確認ミラー２と杖１を一体化させ、夜間目立つように後方確認ミラー２の裏面周縁部４に反射塗料を塗布してなる、後方確認ミラー付杖。
【実施例】
【０００７】  杖１に装着する後方確認ミラー２に設けた、球型支持腕３とミラー装着金具５を用いて、前述のとおり装着するが、右手で杖１を使って歩行する者は、後方確認ミラー２を右側に装着し、逆に左手で杖１を使って歩行する者は左側へ装着することになるが、この調整は着脱ネジ６を若干緩めてミラー装着金具５を１８０度の回転させることで左右の調整をおこない、後方確認ミラー２の裏表も上下１８０度の回転させることで、裏表の切り替え調整を可能にし、後方確認ミラー２の裏面周縁部４に反射塗料を塗布したことを特徴とした、後方確認ミラー付杖。
【産業上の利用可能性】
【０００８】
【図面の簡単な説明】
【０００９】
【図１】本考案の実施形態を示す平面図である。
【図２】同じく正面図である。
【図３】後方確認ミラー２の位置を調整し、高くしたことを示す裏面図である。
【図４】後方確認ミラー２の位置を調整し、高くしたことを示した斜視図である。
【符号の説明】
【００１０】      １  杖
２  後方確認ミラー
３  球型支持腕
４  裏面周縁部
５  ミラー装着金具
６  着脱ネジ
７  固定ネジ
【図１】
0003137819.tif 000003
【図２】
0003137819.tif 000004
【図３】
0003137819.tif 000005
【図４】
0003137819.tif 000006
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
後方確認ミラー２に、球型支持腕３を設け、ミラー装着金具５を用いて、杖１と球型支持腕３を挟む状態で、着脱ネジ６および固定ネジ７で装着し、後方確認ミラー２の裏面周縁部４に反射塗料を塗布した、後方確認ミラー付杖。
(57)【要約】      （修正有）【課題】パックより味噌を取り出すときに、味噌の分量が実質上支障のない範囲で、バラツキがなくなり、抽出ノズルは容易に折りたたむことが出来、また、保存がより容易かつより衛生的でもある抽出ノズル付きパックを提供する。【解決手段】所定の分量を抽出できるようパックのいずれかに、ノズルを設ける。【選択図】図１
0003137814.tif 000002
【実用新案登録請求の範囲】
【請求項１】
味噌を一定量（例えば一人分）抽出できるノズル部を備えた味噌パック。
【考案の詳細な説明】
【技術分野】
【０００１】  本考案は、一定量を抽出できるノズルを備えた小売用味噌パックに関する。
【背景技術】
【０００２】  従来のパックでは、味噌を取り出すときは目分量か、又は計量器で測りながら、取り出していた。（図２）
【考案の開示】
【考案が解決しようとする課題】
【０００３】  しかし、目分量での取り出しは取り出した量が一定でないため、健康管理面で塩分規制されている場合は特に適さない。又、計量器を使用する場合は計量に時間がかかり、面倒でもある。
【課題を解決するための手段】
【０００４】  そこで、所定の分量を抽出できるようパックのいずれかに、ノズルを設けることを、考案した（図１）。
【考案の効果】
【０００５】  よって、本考案のパックにより、パックより味噌を取り出すときに、味噌の分量が実質上支障のない範囲で、バラツキがなくなる。また、抽出ノズルは容易に折りたたむことが出来、またノズル先端に閉止栓を設けることにより、保存がより容易かつより衛生的でもある。
【考案を実施するための最良の形態】
【０００６】  本考案に係る抽出ノズル１０は、図１に示すように、味噌Ｔを計量する目盛１と閉止栓２を備えている。ノズルの位置は何処でも可能であるが、パック下部又は上部の中央が使用上便利と考える。
【図面の簡単な説明】
【０００７】
【図１】  本考案に係る計量抽出ノズル付パックを、味噌パックに備えた状態の外形図である。
【図２】  従来のパックの外形図である。
【符号の説明】
【０００８】  １    抽出ノズル部
２    抽出量目盛
３    抽出ノズル部先端
１０    味噌パック
【図１】
0003137814.tif 000003
【図２】
0003137814.tif 000004
【手続補正書】
【提出日】平成19年9月5日(2007.9.5)
【手続補正１】
【補正対象書類名】実用新案登録請求の範囲
【補正対象項目名】全文
【補正方法】変更
【補正の内容】
【実用新案登録請求の範囲】
【請求項１】
味噌を抽出するノズル部を備えた味噌パック。
【手続補正２】
【補正対象書類名】明細書
【補正対象項目名】０００１
【補正方法】変更
【補正の内容】
【０００１】本考案は、味噌を抽出するノズルを備えた味噌パックに関する。